(57)【特許請求の範囲】
【請求項１】
扉の外形となる枠体と、枠体の表裏に張設された表面材と、枠体の内側一側部に配置された電気錠と、一端を電気錠に連結され、他端を枠体の他側部に連結され、かつ前記電気錠と外部とを接続する配線を挿通した通電管と、枠体の内側にあって、通電管の配管部位を避けた状態でその全面に装填されて前記表裏の表面材の間隙を保持する芯材とを備えた扉において、
前記芯材と略同一高さのシート材を略ジグザグ状に伸縮自在に形成するとともに、その略ジグザグ状の各片に通電管挿通用の保持孔を形成した支持材兼用のスペーサを具備し、該スペーサの保持孔に通電管を挿通した状態で、前記枠体の内部に配置したことを特徴とする電気錠付扉の構造。
【請求項２】
前記スペーサは、略ジグザグ状に形成した上下又は左右一対のスペーサ片を互いに重ね合わせたものであり、それぞれの対向内縁に通電管挿通用の略Ｕ字形溝よりなる保持溝を設け、両スペーサ片の重合状態で前記保持溝同士の重なり合いによる溝内部により、前記通電管挿通用の保持孔が形成されていることを特徴とする請求項１記載の電気錠付扉の構造。
【請求項３】
前記スペーサを構成するシート材は、縮小状態において蛇腹状に長手方向への反発性を有する略ジグザグ状のテープ材により構成され、その配置状態において、両端部が対向する前記枠体の内部位置に当接されていることを特徴とする請求項１又は２記載の電気錠付扉の構造。
【請求項４】
前記芯材の前後幅と、前記スペーサの配置状態における前後幅とは略同幅であり、芯材の前後面とスペーサの前後面により、前記表裏の表面材の内面が略均等に支持されていることを特徴とする請求項１乃至３のいずれか１項記載の電気錠付扉の構造。
【請求項５】
前記芯材は、ハニカムペーパーコアや発泡樹脂材などにより分割状に形成され、前記通電管が設けられる部分に沿って、前記枠体の内部に分割して配置されるように、予め、複数のピースに分割されていることを特徴とする請求項１乃至４のいずれか１項記載の電気錠付扉の構造。
【発明の詳細な説明】
【技術分野】
【０００１】
本発明は、電気錠の配線保護用の通電管を内蔵した電気錠付扉の構造に関するものである。
【背景技術】
【０００２】
一般に軽量鋼板ドアでは、ドア枠体の表裏に張られる鋼板からなる表面材の間に強化されたハニカムペーパコア製の芯材を全面に装填することによって、軽量性を保ちつつ、表面材間の間隙を保持し、表面材の平滑状態を保つようにしている。
【０００３】
ところで、最近では防盗性向上のために、カードリーダや、指紋、虹彩認証装置などによる個人認証システムに連繋した電気錠が実用化されている。この電気錠を実装した扉では、下記特許文献１に示すように、配線保護用の通電管を扉内部に配管し、この通電管の内部を通じて電気錠の配線を扉内部から屋内側に引出すようにしている。
【０００４】
この種の通電管を内蔵した扉では、配管経路に沿って芯材を切除することによって、相互の干渉を防止しているが、次に述べる課題があった。
【特許文献１】特開２００５−１７１６２２号公報
【発明の開示】
【発明が解決しようとする課題】
【０００５】
すなわち、この構造では、通電管の配管経路に沿った箇所が芯材の非装填領域となっているため、この部分に沿って表面材の凹凸が発生しやすく、外観に不具合が生ずるおそれがあった。また、通電管は一端を電気錠側に連結され、他端を枠材のヒンジ側端部に連結されているが、ドアの開閉毎に、通電管の両端に開閉衝撃や振動が加わるため、配線の保護の観点からも好ましいものではなかった。
【０００６】
本発明は、以上の課題を解決するものであり、その目的とするところは、通電管の配置個所における表面材の凹凸を防止し、また、通電管に加わる局部衝撃や、振動なども抑制できるようにした扉の構造を提供するものである。
【課題を解決するための手段】
【０００７】
前記目的を達成するため、本発明の電気錠付扉の構造は、扉の外形となる枠体２と、枠体２の表裏に張設された表面材３と、枠体２の内側一側部に配置された電気錠４と、一端を電気錠４に連結され、他端を枠体２の他側部に連結され、かつ前記電気錠４と外部とを接続する配線７を挿通した通電管６と、枠体２の内側にあって、通電管６の配管部位を避けた状態でその全面に装填されて前記表裏の表面材３，３の間隙を保持する芯材９とを備えた扉において、
前記芯材９と同一高さのシート材を略ジグザグ状に伸縮自在に形成するとともに、その略ジグザグ状の各片に通電管挿通用の保持孔１０ｂを形成した支持材兼用のスペーサ１０を具備し、該スペーサ１０の保持孔１０ｂに通電管６を挿通した状態で、前記枠体２の内部に配置したことを特徴としている。
【０００８】
また、本発明にあっては、前記スペーサ１０は、略ジグザグ状に形成した上下又は左右一対ののスペーサ片２０，２１（２０’，２１’）を互いに重ね合わせたものであり、それぞれの対向内縁に通電管挿通用の略Ｕ字形溝よりなる保持溝２０ａ，２１ａ（２０ａ’，２１ａ’）を設け、両スペーサ片２０，２１（２０’，２１’）の重合状態で前記保持溝２０ａ，２１ａ（２０ａ’，２１ａ’）同士の重なり合いによる溝内部により、前記通電管挿通用の保持孔が形成されるようにしても良い。
【０００９】
前記スペーサ１０を構成するシート材は、縮小状態において蛇腹状に長手方向への反発性を有する、プラスチック、厚紙又は金属箔などによる略ジグザグ状のテープ材により構成され、その配置状態において、両端部が対向する前記枠体２の内部位置に当接された構成とすることができる。
【００１０】
前記芯材９の前後幅と、前記スペーサ１０の配置状態における前後幅とは略同幅であり、芯材９の前後面とスペーサ１０の前後面により、前記表裏の表面材３の内面が略均等に支持されている。
【００１１】
前記芯材９は、ハニカムペーパーコアや発泡樹脂材などにより分割状に形成され、前記通電管６が設けられる部分に沿って、前記枠体２の内部に分割して配置されるように、予め、複数のピースに分割された構成とすることができる。
【発明の効果】
【００１２】
本発明によれば、通電管の配管箇所には、芯材と略同じ高さ若しくは前後（表裏）厚さのスペーサが配置されているため、この位置で段差が生ずることがなく、段差を原因とした表面材の凹凸を未然に防止できるとともに、通電管もスペーサにより多数箇所支持されているため、扉開閉毎の衝撃や、振動が緩和され、配線の保護の観点からも好ましいものとなる。
【００１３】
スペーサを上下又は左右の分離構造とすることにより、スペーサの保持孔内部に通電管を挿通してから枠体内部に配管するなどの、工程上の制約を解消できる。
【００１４】
芯材を分割構造とすることにより、枠体内部への通電管の配設後に通電管の外周に容易に芯材のピースを装着でき、扉の組立製造が一層容易となる。
【発明を実施するための最良の形態】
【００１５】
図１〜図３は本発明の第１実施形態を示し、図１（ａ）〜（ｃ）は本発明による電気錠付の扉の全体を示している。
【００１６】
図１（ａ）において、この扉１は外形を構成する所要縦横寸法に形成された縦長の枠体２と、枠体２の表裏に張設される表面材３と、枠体２の内側にあって、高さ方向（長手方向）一側部におけるほぼ中央に配置された電気錠４と、枠体２の外側部における高さ方向他側部の上下２箇所に配置され、図示しない扉枠サッシュに回動可能に結合される１対のヒンジ５と、一端を電気錠４に連結され、斜めに立ち上げられた状態で他端を枠体２の他側部における上部側ヒンジ５の近傍に連結された絶縁体からなるパイプ状の通電管６と、一端を電気錠４に接続されるとともに、通電管６内に挿通され、かつ枠体２の他側部より外部に引出された複数の接続用ケーブル７とを備えている。この接続用ケーブル７の他端側は、屋内側に引込まれ、前述した各種個人認証システムおよび電源などに接続している。
【００１７】
枠体２は、アルミ、鋼材などから構成されるものであり、また表面材３はカラー鋼板などの薄鋼板から構成されるものであり、接着、溶接、ビス止め、あるいはこれら取付手段を併用して枠体２に固定される。
【００１８】
また、電気錠４は、円内に拡大して示すように、枠体２を貫通して扉枠サッシ側に突出する閉鎖ロック用の閂４ａ、並びに図示しないドアノブに連繋して扉枠サッシ側に出没可能に突出するラッチピン４ｂを備えている。また枠体２の内側において、電気錠４には、通電管６の取付用アタッチメント８が固定されており、通電管６の一端部はこのアタッチメント８を介して電気錠４側に固定されている。
【００１９】
以上に加え、枠体２および表面材３で囲われた内部には、図１（ｂ），（ｃ）に示すように、前記通電管６の配置部位を除く全面に、ハニカムペーパコア製の芯材９が接着手段などによって配置され、表面材３間の間隙を保持している。この芯材９は、表面材３間の隙間に応じた高さの厚紙を適宜縦横に組合わせるとともに、樹脂含浸などにより強化した素材からなるものである。なお、図では縦横格子状に組合わせているが、エクスパンドなどにより平面視四角形状や平面視六角形状又はロール形状に形成しても良い。
【００２０】
芯材９は、予め、分割状に形成され、通電管６の配設位置の上下に分割されたピースが設けられている。芯材９は、発泡樹脂材など、適宜の材質により形成させることができる。
【００２１】
これに加え、通電管６の周囲には、プラスチックや厚紙、又は金属箔などによる厚さ方向に定形成のある硬質のテープが、略ジグザグ状に折曲げ形成されたスペーサ１０が配置され、通電管６はこのスペーサ１０を貫通してこれに支持されている。スペーサ１０は、蛇腹状に伸縮性があり、配置状態において、枠体２の内部の対向面に弾性的に当接されている。
【００２２】
図２，３はスペーサ１０の作成手順の一例を示している。まず図２に示すように、硬質で可撓性のある厚紙やプラスチックシート又は金属箔からなる原紙１０’に、縦横に折畳み用および切離し用ミシン目よりなる目印線１０ａを形成するとともに、各目印線１０ａで囲われた内部に打抜き成形などによりそれぞれ長孔よりなる保持孔１０ｂを形成しておき、一方の目印線１０ａをカッターなどを用いて切離し、図３（ａ）に示すように、他方の目印線１０ａに沿って各片をジグザグに折畳むことにより、スペーサ１０が形成される。なお、長孔よりなる保持孔１０ｂの短径は通電管６の外径に等しく、長径の長さは各片折畳み角度に応じて設定しておくことは言うまでもない。
【００２３】
次いで図３（ｂ）に示すように、通電管６を保持孔１０ｂに差込めば、予めスペーサ１０で周囲を囲われた通電管６となる。なお、スペーサ１０の高さ寸法Ｈは、芯材９と略同一の高さであり、これによって通電管９の配置部位と他の部位の段差はなく、この段差を原因として表面材３に凹凸を生ずることが未然に防止されるとともに、通電管６はスペーサ１０によって多数箇所が支持されてるため、扉１の閉止時において、通電管６の両端に加わる振動衝撃などを緩和することができ、通電管６の内部に挿通されるケーブル７を保護する上でも好ましいものとなる。
【００２４】
なお、図１においては、表面側の表面材３を張合わせた状態を一部切り欠いて示しているが、当然ながら、表面側の表面材３は取外した状態で一般部芯材９の装填作業と通電管６に対するスペーサ１０の装着作業および通電管６の電気錠４および枠体２に対する取付作業を行った後に、表面材の張り合せ作業がなされることになる。
【００２５】
図４，５は本発明の第２実施形態を示す。なお、図において第１実施形態と同一箇所には同一符号を付し、異なる箇所にのみ異なる符号を用いて説明する。図４（ａ），（ｂ）に示すように、スペーサ１０は、ジグザグ状に形成された下部のスペーサ片２０と、同じくジグザグ状に形成され、かつ下部のスペーサ片２０に重ねられる上部のスペーサ片２１とから２分割されている。下部のスペーサ片２０の各片には、通電管６が上方から嵌め込まれる上向き略Ｕ字状溝よりなる保持溝２０ａが形成され、上部のスペーサ片２１の各片には通電管６の上方から嵌め込まれる下向き略Ｕ字状溝よりなる保持溝２１ａが形成されている。
【００２６】
従って、予め下部のスペーサ片２０を通電管６の取付位置に固定しておき、その上から通電管６を設置し、次いでその上から上部のスペーサ片２１の保持溝２１ａを通電管６の上部外周に嵌め込みつつ下部のスペーサ片２０に重ね合せることにより、図５に示すごとく通電管６の周囲に上下のスペーサ片２０，２１が配置されることになる。なお、重ね合せ状態ではその高さＨは一般部の芯材９の高さと同じであり、従って、枠体２上下に張合わされる表面材３の平滑性を保つことができる。重ね合わされた上下のスペーサ片２０，２１の対向内底部が通電管６の保持溝となる。
【００２７】
本実施形態では、先に通電管６を枠体２内に配置してから芯材９の配置及び貼付け加工などを行う場合に下部のスペーサ片２０に通電管６を設置しておけば良いため、工程上の制約を回避できる。
【００２８】
図６乃至図８は第３実施形態を示している。第３実施形態では、ジグザグ状若しくは蛇腹状に形成され、重ね合される左右のスペーサ片２０’，２１’の各片にそれぞれ左右方向を向く略Ｕ字状の保持溝２０ａ’，２１ａ’を形成し、それぞれの保持溝２０ａ’，２１ａ’に通電管６の外周を嵌合したものである。本実施形態においても、前記と同一効果を得られるほか、通電管６を枠体２内に配置してからスペーサをその外周に配置する場合に好適であり、工程上の制約がない。
【００２９】
さらに、図８（ａ）（ｂ）（ｃ）に示すように、使用する通電管６の長さが、短い状態（ａ）から長い状態（ｂ）（ｃ）に変更（Ｄ）された場合、左右のスペーサ片２０’，２１’の重ねしろを、密着状態（ａ）から、軸方向にずらした状態（ｂ）又は分離した状態（ｃ）に変えて軸方向に引き延ばすことにより、上記通電管６の長さ変更（Ｄ）に容易に対応できる。
【図面の簡単な説明】
【００３０】
【図１】（ａ）〜（ｃ）は、本発明に係る電気錠付扉の組立状態を示す全体斜視図である。
【図２】スペーサの原紙を示す斜視図である。
【図３】（ａ），（ｂ）はスペーサを折畳んだ状態と、通電管を嵌め込んだ状態を示す斜視図である。
【図４】（ａ），（ｂ）は、スペーサの第２実施形態を示す分解斜視図である。
【図５】同スペーサを通電管に組込んだ状態における扉組立状態を示す一部拡大正断面図である。
【図６】（ａ），（ｂ）は、スペーサの第３実施形態を示す分解斜視図である。
【図７】第３実施形態の一部拡大正断面図である。
【図８】（ａ），（ｂ），（ｃ）は、第３実施形態の作用を説明する説明図である。
【符号の説明】
【００３１】
１  扉
２  枠体
３  表面材
４  電気錠
５  ヒンジ
６  通電管
７  ケーブル
８  アタッチメント
９  芯材
１０  スペーサ
１０ａ  目印線
１０ｂ  保持孔
２０，２１，２０’，２１’  スペーサ片
２０ａ，２１ａ，２０ａ’，２１ａ’  保持溝
【図１】
0005074942.tif 000002
【図２】
0005074942.tif 000003
【図３】
0005074942.tif 000004
【図４】
0005074942.tif 000005
【図５】
0005074942.tif 000006
【図６】
0005074942.tif 000007
【図７】
0005074942.tif 000008
【図８】
0005074942.tif 000009